(57)【要約】      （修正有）【課題】動物の口は開きにくく、口を開いても動物も協力しない問題を解決し、洗浄の効果を増加し、装置のコストを減少し、エネルギーを節約する動物用歯ブラシの提供。【解決手段】動物用歯ブラシは、歯ブラシハンドル１００を含み、手動ブロック５２が設置され、動力装置１０１が動物の歯磨きに動力を提供し、精神安定剤と洗剤を噴射する噴射装置１０２が、前記動力装置１０１が前記噴射装置１０２を駆動し回転、移動させ、洗剤と精神安定剤が動物の口に噴射され、動物に対し精神安定と洗浄を行い、回転軸３６が回転しブラシヘッド７９とブラシ３５を駆動し回転させ、これにより手動で手動ブロック５２を調整し左右に揺動させ、動物の歯を磨く。【選択図】図１
2020156456.tif 000002
【特許請求の範囲】
【請求項１】
歯ブラシハンドルを含み、前記歯ブラシハンドルの下端には手動ブロックが設置され、前記歯ブラシハンドルの上端には歯ブラシバーが設置され、前記手動ブロックの中には動力装置が設置され、前記動力装置が動物の歯磨きに動力を提供し、前記歯ブラシハンドルの中には底溝が設置され、前記底溝の左右両端には水槽が対称的に設置され、前記底溝の下端壁には動力チャンバが設置され、前記動力チャンバの下端壁と外界とが連通し、前記動力チャンバの左右端壁には駆動溝が対称的に設置され、前記水溝の中には噴射装置が設置され、前記噴射装置が精神安定剤と洗剤を噴射し、前記動力装置が前記噴射装置を駆動し回転と、移動させ、前記歯ブラシバーの中には連通チャンバが設置され、前記連通チャンバと前記底溝とが連通し、前記連通チャンバの上端壁と外界とが連通し、前記歯ブラシバーと前記歯ブラシハンドルとの継ぎ目には回転盤が回転できるように係合し連結され、前記歯ブラシハンドルの上端面には引掛り溝がリング状で設置され、前記歯ブラシバーの左右端面にはそれぞれ開き装置が対称的に設置され、前記開き装置が動物の口を開くことを特徴とする動物用歯ブラシ。
【請求項２】
前記動力装置はモータを含み、前記モータと前記手動ブロックとが固定的に連結され、前記モータの上端には回転軸が動力が伝達できるように連結され、前記回転軸の下端には二つの駆動プーリが上下に対称的に設置され、前記回転軸の中端には内蔵溝が上下に対称的に設置され、下端の前記内蔵溝の中間には連結軸が設置され、上端の前記内蔵溝の中間には支持水管が設置され、前記内蔵溝の上端壁にはそれぞれ長水溝が設置され、下端の前記長水溝が前記支持水管を通し抜け、前記回転軸の上端にはブラシヘッドが設置され、前記ブラシヘッドの中にはそれぞれ前記長水溝と連通する噴射チャンバが設置され、前記ブラシヘッドの外輪にはブラシが設置され、前記回転軸には保護バーが回転できるように係合連結され、前記保護バーの左右両端にはそれぞれ前記内蔵溝と連通する入水口が設置され、前記連通チャンバの左右両端壁にはそれぞれ二つの固定ブロックが対称的に設置され、前記固定ブロックの中にはヒンジ連結スライド溝が設置され、前記保護バーの左右両端面にはそれぞれ二つの凹溝が対称的に設置され、前記ヒンジ連結スライド溝の中にはヒンジ連結ブロックがスライドできるように係合連結され、前記ヒンジ連結ブロックと前記ヒンジ連結スライド溝との間にはヒンジ連結ばねが連結され、前記ヒンジ連結ブロックと前記凹溝との間にはヒンジ連結軸が回転できるように係合連結され、その作用は、装置全体に動力を提供し、動物に歯を磨くことであることを特徴とする請求項１に記載の動物用歯ブラシ。
【請求項３】
前記噴射装置は二つがあり、且つ左右対称的に設置され、右側のを例として説明し、前記噴射装置は水ポンプを含み、前記入水口の左端面には出水口が設置され、前記水ポンプの左端にはウォーターホースが設置され、前記ウォーターホースの左端が前記入水口と固定的に連結され、かつ前記内蔵溝と連通し、前記水ポンプの下端壁には動力軸が回転できるように係合連結され、前記動力軸は前記水ポンプの動力軸であり、前記動力軸の下端には動力プーリが設置され、前記動力軸と前記駆動溝の上下端壁とが回転できるように係合連結され、前記動力プーリと前記駆動プーリとの間には弾性ベルトが連結され、その作用は、精神安定剤と洗剤を噴射することであることを特徴とする請求項１に記載の動物用歯ブラシ。
【請求項４】
前記開き装置が二つがあり、且つ左右対称的に設置され、左側のを例として説明し、前記開き装置が固定バーを含み、前記固定バーと前記歯ブラシバーの左端面とが固定的に連結され、前記固定バーの左端にはＬバーがヒンジにより連結され、前記Ｌバーの上端には保護パッドが設置され、前記Ｌバーの下端にはヒンジ連結スライドバーがヒンジにより連結され、前記歯ブラシバーの左端面には固定スライドバーが設置され、前記固定スライドバーの中には長スライド溝が設置され、前記長スライド溝と前記ヒンジ連結スライドバーとがスライドできるように係合連結され、前記長スライド溝の左右両端壁にはリミット溝が対称的に設置され、前記ヒンジ連結スライドバーの左右両端面には前記リミット溝とスライドできるように係合連結されるリミットブロックが固定的に連結され、前記リミットブロックと前記リミット溝との間にはリミットばねが連結され、前記歯ブラシバーの中には紐溝が設置され、前記回転盤のうち前記歯ブラシバーに近接する端面には開き溝が設置され、前記開き溝の左端壁と前記ヒンジ連結スライドバーの下端面との間には長紐が連結され、前記回転盤の中にはまたＬ溝が設置され、前記Ｌ溝の下端壁が前記引掛り溝と連通されることができ、前記Ｌ溝の左端壁が外部と連通し、前記Ｌ溝の左端面にはまた小ブロックスライド溝が設置され、前記小ブロックスライド溝の中には小ブロックがスライドできるように係合連結され、前記小ブロックと前記小ブロックスライド溝との間には小ブロックばねが連結され、前記小ブロックの左端には前記回転盤の左端面とスライドできるように係合連結される回しシートが固定的に連結され、前記Ｌ溝の中には引掛りブロックがスライドできるように係合連結され、前記引掛りブロックと前記回しシートとの間には定滑車により短紐が連結され、前記引掛りブロックが前記引掛り溝とスライドできるように係合連結されることができ、その作用は動物の口を開くことであることを特徴とする請求項１に記載の動物用歯ブラシ。
【発明の詳細な説明】
【技術分野】
【０００１】
本発明は動物器材分野を取り上げて、具体的には動物用歯ブラシである。
【背景技術】
【０００２】
現在、人間の活動のせいで自然に回復できない損害を与え、多くの動物が保護される必要があり、歯は動物が食べることに必要なものであり、従って、動物に歯を磨いてあげることは動物園にとって困難であり、今まで動物に歯を磨いてあげるには、人間の歯ブラシを使用するのであり、動物の口を開きにくく、口を開いても動物も協力しない。
【先行技術文献】
【特許文献】
【０００３】
【特許文献１】中国特許出願公開第１０８２０７６９１号明細書
【発明の概要】
【発明が解決しようとする課題】
【０００４】
本発明の目的は動物用歯ブラシを提供し、それは上記の現在の技術中の問題を解決できる。
【課題を解決するための手段】
【０００５】
上記の課題を解決するため、本発明は以下の技術プランを採用する：動物用歯ブラシは、歯ブラシハンドルを含み、前記歯ブラシハンドルの下端には手動ブロックが設置され、前記歯ブラシハンドルの上端には歯ブラシバーが設置され、前記手動ブロックの中には動力装置が設置され、前記動力装置が動物の歯磨きに動力を提供し、前記歯ブラシハンドルの中には底溝が設置され、前記底溝の左右両端には水槽が対称的に設置され、前記底溝の下端壁には動力チャンバが設置され、前記動力チャンバの下端壁と外界とが連通し、前記動力チャンバの左右端壁には駆動溝が対称的に設置され、前記水溝の中には噴射装置が設置され、前記噴射装置が精神安定剤と洗剤を噴射し、前記動力装置が前記噴射装置を駆動し回転と、移動させ、前記歯ブラシバーの中には連通チャンバが設置され、前記連通チャンバと前記底溝とが連通し、前記連通チャンバの上端壁と外界とが連通し、前記歯ブラシバーと前記歯ブラシハンドルとの継ぎ目には回転盤が回転できるように係合し連結され、前記歯ブラシハンドルの上端面には引掛り溝がリング状で設置され、前記歯ブラシバーの左右端面にはそれぞれ開き装置が対称的に設置され、前記開き装置が動物の口を開く。
【０００６】
優選的には、前記動力装置はモータを含み、前記モータと前記手動ブロックとが固定的に連結され、前記モータの上端には回転軸が動力が伝達できるように連結され、前記回転軸の下端には二つの駆動プーリが上下に対称的に設置され、前記回転軸の中端には内蔵溝が上下に対称的に設置され、下端の前記内蔵溝の中間には連結軸が設置され、上端の前記内蔵溝の中間には支持水管が設置され、前記内蔵溝の上端壁にはそれぞれ長水溝が設置され、下端の前記長水溝が前記支持水管を通し抜け、前記回転軸の上端にはブラシヘッドが設置され、前記ブラシヘッドの中にはそれぞれ前記長水溝と連通する噴射チャンバが設置され、前記ブラシヘッドの外輪にはブラシが設置され、前記回転軸には保護バーが回転できるように係合連結され、前記保護バーの左右両端にはそれぞれ前記内蔵溝と連通する入水口が設置され、前記連通チャンバの左右両端壁にはそれぞれ二つの固定ブロックが対称的に設置され、前記固定ブロックの中にはヒンジ連結スライド溝が設置され、前記保護バーの左右両端面にはそれぞれ二つの凹溝が対称的に設置され、前記ヒンジ連結スライド溝の中にはヒンジ連結ブロックがスライドできるように係合連結され、前記ヒンジ連結ブロックと前記ヒンジ連結スライド溝との間にはヒンジ連結ばねが連結され、前記ヒンジ連結ブロックと前記凹溝との間にはヒンジ連結軸が回転できるように係合連結され、その作用は、装置全体に動力を提供し、動物に歯を磨くことである。
【０００７】
優選的には、前記噴射装置は二つがあり、且つ左右対称的に設置され、右側のを例として説明し、前記噴射装置は水ポンプを含み、前記入水口の左端面には出水口が設置され、前記水ポンプの左端にはウォーターホースが設置され、前記ウォーターホースの左端が前記入水口と固定的に連結され、かつ前記内蔵溝と連通し、前記水ポンプの下端壁には動力軸が回転できるように係合連結され、前記動力軸は前記水ポンプの動力軸であり、前記動力軸の下端には動力プーリが設置され、前記動力軸と前記駆動溝の上下端壁とが回転できるように係合連結され、前記動力プーリと前記駆動プーリとの間には弾性ベルトが連結され、その作用は、精神安定剤と洗剤を噴射することである。
【０００８】
優選的には、前記開き装置が二つがあり、且つ左右対称的に設置され、左側のを例として説明し、前記開き装置が固定バーを含み、前記固定バーと前記歯ブラシバーの左端面とが固定的に連結され、前記固定バーの左端にはＬバーがヒンジにより連結され、前記Ｌバーの上端には保護パッドが設置され、前記Ｌバーの下端にはヒンジ連結スライドバーがヒンジにより連結され、前記歯ブラシバーの左端面には固定スライドバーが設置され、前記固定スライドバーの中には長スライド溝が設置され、前記長スライド溝と前記ヒンジ連結スライドバーとがスライドできるように係合連結され、前記長スライド溝の左右両端壁にはリミット溝が対称的に設置され、前記ヒンジ連結スライドバーの左右両端面には前記リミット溝とスライドできるように係合連結されるリミットブロックが固定的に連結され、前記リミットブロックと前記リミット溝との間にはリミットばねが連結され、前記歯ブラシバーの中には紐溝が設置され、前記回転盤のうち前記歯ブラシバーに近接する端面には開き溝が設置され、前記開き溝の左端壁と前記ヒンジ連結スライドバーの下端面との間には長紐が連結され、前記回転盤の中にはまたＬ溝が設置され、前記Ｌ溝の下端壁が前記引掛り溝と連通されることができ、前記Ｌ溝の左端壁が外部と連通し、前記Ｌ溝の左端面にはまた小ブロックスライド溝が設置され、前記小ブロックスライド溝の中には小ブロックがスライドできるように係合連結され、前記小ブロックと前記小ブロックスライド溝との間には小ブロックばねが連結され、前記小ブロックの左端には前記回転盤の左端面とスライドできるように係合連結される回しシートが固定的に連結され、前記Ｌ溝の中には引掛りブロックがスライドできるように係合連結され、前記引掛りブロックと前記回しシートとの間には定滑車により短紐が連結され、前記引掛りブロックが前記引掛り溝とスライドできるように係合連結されることができ、その作用は動物の口を開くことである。
【発明の効果】
【０００９】
本発明の有益的な効果は：本装置は動物に歯を磨くことができ、今まで小さい動物に歯を磨くとき、口を開きにくい問題を解決し、同時に、精神安定剤を噴射することにより小さい動物の口を開いた後、小さい動物が協力しない問題も解決し、本装置は回転できるブラシヘッドと噴射された洗剤を通じて歯を強く洗浄し、洗浄の効果を増加し、本装置が機械の伝動により係合され、同時に単モータを使用し多機能を実現し、装置のコストを減少し、エネルギーを節約する。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の動物用歯ブラシの全体全断面の正面構成略図である；
【図２】図２は本発明の図１のＡの局部拡大図である。
【図３】図３は本発明の図１のＢ−Ｂ方向の略図である。
【図４】図４は本発明の図１のＣの局部拡大図である。
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１５】
図１−４に示すように、本発明の動物用歯ブラシは、歯ブラシハンドル１００を含み、前記歯ブラシハンドル１００の下端には手動ブロック５２が設置され、前記歯ブラシハンドル１００の上端には歯ブラシバー２９が設置され、前記手動ブロック５２の中には動力装置１０１が設置され、前記動力装置１０１が動物の歯磨きに動力を提供し、前記歯ブラシハンドル１００の中には底溝３９が設置され、前記底溝３９の左右両端には水槽４０が対称的に設置され、前記底溝３９の下端壁には動力チャンバ５０が設置され、前記動力チャンバ５０の下端壁と外界とが連通し、前記動力チャンバ５０の左右端壁には駆動溝４８が対称的に設置され、前記水溝４０の中には噴射装置１０２が設置され、前記噴射装置１０２が精神安定剤と洗剤を噴射し、前記動力装置１０１が前記噴射装置１０２を駆動し回転と、移動させ、前記歯ブラシバー２９の中には連通チャンバ３８が設置され、前記連通チャンバ３８と前記底溝３９とが連通し、前記連通チャンバ３８の上端壁と外界とが連通し、前記歯ブラシバー２９と前記歯ブラシハンドル１００との継ぎ目には回転盤５９が回転できるように係合し連結され、前記歯ブラシハンドル１００の上端面には引掛り溝６５がリング状で設置され、前記歯ブラシバー２９の左右端面にはそれぞれ開き装置１０３が対称的に設置され、前記開き装置１０３が動物の口を開く。
【００１６】
有益的には、前記動力装置１０１はモータ５１を含み、前記モータ５１と前記手動ブロック５２とが固定的に連結され、前記モータ５１の上端には回転軸３６が動力が伝達できるように連結され、前記回転軸３６の下端には二つの駆動プーリ４９が上下に対称的に設置され、前記回転軸３６の中端には内蔵溝４５が上下に対称的に設置され、下端の前記内蔵溝４５の中間には連結軸７７が設置され、上端の前記内蔵溝４５の中間には支持水管２１が設置され、前記内蔵溝４５の上端壁にはそれぞれ長水溝３１が設置され、下端の前記長水溝３１が前記支持水管２１を通し抜け、前記回転軸３６の上端にはブラシヘッド７９が設置され、前記ブラシヘッド７９の中にはそれぞれ前記長水溝３１と連通する噴射チャンバ３３が設置され、前記ブラシヘッド７９の外輪にはブラシ３５が設置され、前記回転軸３６には保護バー３７が回転できるように係合連結され、前記保護バー３７の左右両端にはそれぞれ前記内蔵溝４５と連通する入水口４４が設置され、前記連通チャンバ３８の左右両端壁にはそれぞれ二つの固定ブロック２５が対称的に設置され、前記固定ブロック２５の中にはヒンジ連結スライド溝２７が設置され、前記保護バー３７の左右両端面にはそれぞれ二つの凹溝２２が対称的に設置され、前記ヒンジ連結スライド溝２７の中にはヒンジ連結ブロック２４がスライドできるように係合連結され、前記ヒンジ連結ブロック２４と前記ヒンジ連結スライド溝２７との間にはヒンジ連結ばね２６が連結され、前記ヒンジ連結ブロック２４と前記凹溝２２との間にはヒンジ連結軸２３が回転できるように係合連結され、その作用は、装置全体に動力を提供し、動物に歯を磨くことである。
【００１７】
有益的には、前記噴射装置１０２は二つがあり、且つ左右対称的に設置され、右側のを例として説明し、前記噴射装置１０２は水ポンプ４３を含み、前記入水口４４の左端面には出水口４２が設置され、前記水ポンプ４３の左端にはウォーターホース４１が設置され、前記ウォーターホース４１の左端が前記入水口４４と固定的に連結され、かつ前記内蔵溝４５と連通し、前記水ポンプ４３の下端壁には動力軸４６が回転できるように係合連結され、前記動力軸４６は前記水ポンプ４３の動力軸であり、前記動力軸４６の下端には動力プーリ４７が設置され、前記動力軸４６と前記駆動溝４８の上下端壁とが回転できるように係合連結され、前記動力プーリ４７と前記駆動プーリ４９との間には弾性ベルト７２が連結され、その作用は、精神安定剤と洗剤を噴射することである。
【００１８】
有益的には、前記開き装置１０３が二つがあり、且つ左右対称的に設置され、左側のを例として説明し、前記開き装置１０３が固定バー３０を含み、前記固定バー３０と前記歯ブラシバー２９の左端面とが固定的に連結され、前記固定バー３０の左端にはＬバー３２がヒンジにより連結され、前記Ｌバー３２の上端には保護パッド３４が設置され、前記Ｌバー３２の下端にはヒンジ連結スライドバー７０がヒンジにより連結され、前記歯ブラシバー２９の左端面には固定スライドバー５４が設置され、前記固定スライドバー５４の中には長スライド溝５８が設置され、前記長スライド溝５８と前記ヒンジ連結スライドバー７０とがスライドできるように係合連結され、前記長スライド溝５８の左右両端壁にはリミット溝５５が対称的に設置され、前記ヒンジ連結スライドバー７０の左右両端面には前記リミット溝５５とスライドできるように係合連結されるリミットブロック５３が固定的に連結され、前記リミットブロック５３と前記リミット溝５５との間にはリミットばね５６が連結され、前記歯ブラシバー２９の中には紐溝６９が設置され、前記回転盤５９のうち前記歯ブラシバー２９に近接する端面には開き溝６８が設置され、前記開き溝６８の左端壁と前記ヒンジ連結スライドバー７０の下端面との間には長紐５７が連結され、前記回転盤５９の中にはまたＬ溝７３が設置され、前記Ｌ溝７３の下端壁が前記引掛り溝６５と連通されることができ、前記Ｌ溝７３の左端壁が外部と連通し、前記Ｌ溝７３の左端面にはまた小ブロックスライド溝６２が設置され、前記小ブロックスライド溝６２の中には小ブロック６１がスライドできるように係合連結され、前記小ブロック６１と前記小ブロックスライド溝６２との間には小ブロックばね６３が連結され、前記小ブロック６１の左端には前記回転盤５９の左端面とスライドできるように係合連結される回しシート６０が固定的に連結され、前記Ｌ溝７３の中には引掛りブロック６４がスライドできるように係合連結され、前記引掛りブロック６４と前記回しシート６０との間には定滑車６６により短紐６７が連結され、前記引掛りブロック６４が前記引掛り溝６５とスライドできるように係合連結されることができ、その作用は動物の口を開くことである。
【００１９】
下記に、出願人は図１−４及び上記の本出願の動物用歯ブラシの具体的な構成を参考し本出願の動物用歯ブラシの使用方法を紹介する：まず、初期状態の時に、左端の水溝４０に洗剤を入れ、右端の水溝４０に精神安定剤を入れる。
【００２０】
使用するとき、二つの保護パッド３４で動物の口を突き、そして二つの回しシート６０を下に押し、引掛りブロック６４を引掛り溝６５から離脱し、そして回転盤５９を回転させ、これにより長紐５７によりヒンジ連結スライドバー７０を下に引っ張り、Ｌバー３２と保護パッド３４との間の距離が増加し、動物の口を開き、回しシート６０を放し、引掛りブロック６４が対応する引掛り溝６５の中に引掛り、そしてモータ５１を開き、これにより回転軸３６、駆動プーリ４９、動力プーリ４７及び動力軸４６を駆動し回転させ、水ポンプ４３が作動し初め、洗剤と精神安定剤がウォーターホース４１、内蔵溝４５、長水溝３１及び噴射チャンバ３３を通じて動物の口に噴射され、動物に対し精神安定と洗浄を行い、回転軸３６が回転しブラシヘッド７９とブラシ３５を駆動し回転させ、これにより手動で手動ブロック５２を調整し左右に揺動させ、動物の歯を磨く。
【００２１】
本発明の有益的な効果は：本装置は動物に歯を磨くことができ、今まで小さい動物に歯を磨くとき、口を開きにくい問題を解決し、同時に、精神安定剤を噴射することにより小さい動物の口を開いた後、小さい動物が協力しない問題も解決し、本装置は回転できるブラシヘッドと噴射された洗剤を通じて歯を強く洗浄し、洗浄の効果を増加し、本装置が機械の伝動により係合され、同時に単モータを使用し多機能を実現し、装置のコストを減少し、エネルギーを節約する。
【００２２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020156456.tif 000003
【図２】
2020156456.tif 000004
【図３】
2020156456.tif 000005
【図４】
2020156456.tif 000006
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
歯ブラシハンドルを含み、前記歯ブラシハンドルの下端には手動ブロックが設置され、前記歯ブラシハンドルの上端には歯ブラシバーが設置され、前記手動ブロックの中には動力装置が設置され、前記動力装置が動物の歯磨きに動力を提供し、前記歯ブラシハンドルの中には底溝が設置され、前記底溝の左右両端には水槽が対称的に設置され、前記底溝の下端壁には動力チャンバが設置され、前記動力チャンバの下端壁と外界とが連通し、前記動力チャンバの左右端壁には駆動溝が対称的に設置され、前記水溝の中には噴射装置が設置され、前記噴射装置が精神安定剤と洗剤を噴射し、前記動力装置が前記噴射装置を駆動し回転と、移動させ、前記歯ブラシバーの中には連通チャンバが設置され、前記連通チャンバと前記底溝とが連通し、前記連通チャンバの上端壁と外界とが連通し、前記歯ブラシバーと前記歯ブラシハンドルとの継ぎ目には回転盤が回転できるように係合し連結され、前記歯ブラシハンドルの上端面には引掛り溝がリング状で設置され、前記歯ブラシバーの左右端面にはそれぞれ開き装置が対称的に設置され、前記開き装置が動物の口を開き、
前記動力装置はモータを含み、前記モータと前記手動ブロックとが固定的に連結され、前記モータの上端には回転軸が動力が伝達できるように連結され、前記回転軸の下端には二つの駆動プーリが上下に対称的に設置され、前記回転軸の中端には内蔵溝が上下に対称的に設置され、下端の前記内蔵溝の中間には連結軸が設置され、上端の前記内蔵溝の中間には支持水管が設置され、前記内蔵溝の上端壁にはそれぞれ長水溝が設置され、下端の前記長水溝が前記支持水管を通し抜け、前記回転軸の上端にはブラシヘッドが設置され、前記ブラシヘッドの中にはそれぞれ前記長水溝と連通する噴射チャンバが設置され、前記ブラシヘッドの外輪にはブラシが設置され、前記回転軸には保護バーが回転できるように係合連結され、前記保護バーの左右両端にはそれぞれ前記内蔵溝と連通する入水口が設置され、前記連通チャンバの左右両端壁にはそれぞれ二つの固定ブロックが対称的に設置され、前記固定ブロックの中にはヒンジ連結スライド溝が設置され、前記保護バーの左右両端面にはそれぞれ二つの凹溝が対称的に設置され、前記ヒンジ連結スライド溝の中にはヒンジ連結ブロックがスライドできるように係合連結され、前記ヒンジ連結ブロックと前記ヒンジ連結スライド溝との間にはヒンジ連結ばねが連結され、前記ヒンジ連結ブロックと前記凹溝との間にはヒンジ連結軸が回転できるように係合連結され、その作用は、装置全体に動力を提供し、動物に歯を磨くことであり、
前記噴射装置は二つがあり、且つ左右対称的に設置され、右側のを例として説明し、前記噴射装置は水ポンプを含み、前記入水口の左端面には出水口が設置され、前記水ポンプの左端にはウォーターホースが設置され、前記ウォーターホースの左端が前記入水口と固定的に連結され、かつ前記内蔵溝と連通し、前記水ポンプの下端壁には動力軸が回転できるように係合連結され、前記動力軸は前記水ポンプの動力軸であり、前記動力軸の下端には動力プーリが設置され、前記動力軸と前記駆動溝の上下端壁とが回転できるように係合連結され、前記動力プーリと前記駆動プーリとの間には弾性ベルトが連結され、その作用は、精神安定剤と洗剤を噴射することであり、
前記開き装置が二つがあり、且つ左右対称的に設置され、左側のを例として説明し、前記開き装置が固定バーを含み、前記固定バーと前記歯ブラシバーの左端面とが固定的に連結され、前記固定バーの左端にはＬバーがヒンジにより連結され、前記Ｌバーの上端には保護パッドが設置され、前記Ｌバーの下端にはヒンジ連結スライドバーがヒンジにより連結され、前記歯ブラシバーの左端面には固定スライドバーが設置され、前記固定スライドバーの中には長スライド溝が設置され、前記長スライド溝と前記ヒンジ連結スライドバーとがスライドできるように係合連結され、前記長スライド溝の左右両端壁にはリミット溝が対称的に設置され、前記ヒンジ連結スライドバーの左右両端面には前記リミット溝とスライドできるように係合連結されるリミットブロックが固定的に連結され、前記リミットブロックと前記リミット溝との間にはリミットばねが連結され、前記歯ブラシバーの中には紐溝が設置され、前記回転盤のうち前記歯ブラシバーに近接する端面には開き溝が設置され、前記開き溝の左端壁と前記ヒンジ連結スライドバーの下端面との間には長紐が連結され、前記回転盤の中にはまたＬ溝が設置され、前記Ｌ溝の下端壁が前記引掛り溝と連通されることができ、前記Ｌ溝の左端壁が外部と連通し、前記Ｌ溝の左端面にはまた小ブロックスライド溝が設置され、前記小ブロックスライド溝の中には小ブロックがスライドできるように係合連結され、前記小ブロックと前記小ブロックスライド溝との間には小ブロックばねが連結され、前記小ブロックの左端には前記回転盤の左端面とスライドできるように係合連結される回しシートが固定的に連結され、前記Ｌ溝の中には引掛りブロックがスライドできるように係合連結され、前記引掛りブロックと前記回しシートとの間には定滑車により短紐が連結され、前記引掛りブロックが前記引掛り溝とスライドできるように係合連結されることができ、その作用は動物の口を開くことであることを特徴とする動物用歯ブラシ。